(57)【要約】【課題】ネット等のカバー材の出し入れが簡単にでき、ネットに直接触れることなくカバー材の出し入れができ、道路端などに常設しても邪魔になることがないゴミのカバー装置を提供する。【解決手段】収納ケース１１からネット４１を出す場合には、ロープ巻き付け部３２に巻き付けられているロープ４７を外して、ロープ４７を握っている手を緩める。ネット４１の自重によってロープ４７が引っ張られて繰り出され、ネット４１が降下して収納ケース１１から出て、地面に落下する。ネット４１を収納ケース１１に収納する場合には、ロープ４７の穴３１から引き出された部分を握って、ロープ４７を手繰り寄せて繰り入れる。これによりネット４１が上昇して開口１７から収納ケース１１に入る。ロープ４７の穴３１から引き出された部分をロープ巻き付け部３２に巻き付けて結び付けると、ネット４１が収納状態で保持される。【選択図】        図３
0003156300.tif 000002
【実用新案登録請求の範囲】
【請求項１】
柔軟性を有するカバー材と、前記カバー材が収納され開口を有する収納ケースと、前記収納ケースの開口が下方を向く姿勢に支持する収納ケース支持手段と、前記カバー材に連結され繰り入れるとカバー材が収納ケースに入って収納状態となり、繰り出すとカバー材が収納ケースから出て使用状態となる紐状体と、前記カバー材を前記収納ケースに収納状態で保持する保持手段とを備えることを特徴とするゴミのカバー装置。
【請求項２】
請求項１に記載したゴミのカバー装置において、
紐状体を繰り入れたり繰り出したりする際に、前記紐状体をガイドするガイド手段を備えることを特徴とするゴミのカバー装置。
【請求項３】
請求項２に記載したゴミのカバー装置において、
ガイド手段は滑車によって構成されることを特徴とするゴミのカバー装置。
【請求項４】
請求項１から３のいずれかに記載したゴミのカバー装置において、
カバー材の下端部には錘が備えられることを特徴とするゴミのカバー装置。
【考案の詳細な説明】
【技術分野】
【０００１】
本考案はゴミのカバー装置に係り、特にゴミ集積場に出されたゴミをカラスやネコ等によって荒らされてしまうのを防止するゴミのカバー装置に関するものである。
【背景技術】
【０００２】
家庭から出るゴミは所定の袋に入れられ、このゴミが入れられた袋をゴミ収集日に所定のゴミ集積場に出しておき、これをゴミ収集車が順次回収している。従って、ゴミ集積場にはゴミがある程度の時間置かれたままの状態となる。この間にカラスやネコ等によってゴミが荒らされてしまうのを防止するために、例えば特許文献１、２に記載されたものがある。
【０００３】
特許文献１に記載されたカラス撃退ネットは、ゴミに直接被せられて使用される。そしてゴミ収集車によってゴミが回収されたら、このネットを収納庫などに収納する。
特許文献２に記載されたゴミステーションは、複数の貫通孔が形成された金属板を扉、壁及び屋根材に使用してユニット化して箱状に構成されている。そしてゴミステーションをゴミ集積場に常設し、この中にゴミを収容してカラスやネコ等によってゴミが荒らされてしまうのを防止する。
【先行技術文献】
【特許文献】
【０００４】
【特許文献１】特開２００５−２７２１４１号公報
【特許文献２】特開２００３−２６７５０７号公報
【考案の概要】
【考案が解決しようとする課題】
【０００５】
しかしながら、特許文献１に記載されたカラス撃退ネットを使用する場合には、ネットを収納庫などから出し、また使用後は折り畳んで収納庫へしまわなければならず、面倒である。
また、ネットを出し入れする作業はネットに直接触れて行わなければならず、特にネットが汚れている場合には不衛生であるという問題がある。
特許文献２に記載されたゴミステーションはある程度大きな箱状を為しており、しかも常設されるものなので設置場所が限られてしまう。例えばゴミ収集日に道路端をゴミ集積場として使用するところでは邪魔になってしまい常設することができない。
【０００６】
本考案は上記従来の問題点に着目して為されたものであり、ネット等のカバー材の出し入れが簡単にでき、ネットに直接触れることなくカバー材の出し入れができ、道路端などに常設しても邪魔になることがないゴミのカバー装置を提供することを、その目的とする。
【課題を解決するための手段】
【０００７】
本考案は上記課題を解決するためになされたものであり、請求項１の考案は、柔軟性を有するカバー材と、前記カバー材が収納され開口を有する収納ケースと、前記収納ケースの開口が下方を向く姿勢に支持する収納ケース支持手段と、前記カバー材に連結され繰り入れるとカバー材が収納ケースに入って収納状態となり、繰り出すとカバー材が収納ケースから出て使用状態となる紐状体と、前記カバー材を前記収納ケースに収納状態で保持する保持手段とを備えることを特徴とするゴミのカバー装置である。
【０００８】
請求項２の考案は、請求項１に記載したゴミのカバー装置において、紐状体を繰り入れたり繰り出したりする際に、前記紐状体をガイドするガイド手段を備えることを特徴とするゴミのカバー装置である。
【０００９】
請求項３の考案は、請求項２に記載したゴミのカバー装置において、ガイド手段は滑車によって構成されることを特徴とするゴミのカバー装置である。
【００１０】
請求項４の考案は、請求項１から３のいずれかに記載したゴミのカバー装置において、カバー材の下端部には錘が備えられることを特徴とするゴミのカバー装置である。
【考案の効果】
【００１１】
本考案のゴミのカバー装置によれば、ネット等のカバー材の出し入れが簡単にでき、カバー材に直接触れることなくカバー材の出し入れができる。また道路端などに常設することが可能になる。
【図面の簡単な説明】
【００１２】
【図１】本考案の実施の形態に係るゴミのカバー装置の斜視図である。
【図２】図１のゴミのカバー装置の側断面図である。
【図３】図１のゴミのカバー装置のロープが繰り出される状態を示す図である。
【図４】図１のゴミのカバー装置のネットをゴミに被せる状態を示す図である。
【図５】ネットがゴミに被せられた使用状態のときの斜視図である。
【考案を実施するための形態】
【００１３】
本考案の実施の形態に係るゴミのカバー装置１を図面にしたがって説明する。
符号３は鉄板製の設置ベースを示し、この設置ベース３の下面にはコンクリート製の一対の台座４、４が取り付けられている。即ち設置ベース３は一対の台座４、４に載置された状態となっている。
設置ベース３の中心部には比較的短寸法の丸パイプ６が固定されている。この丸パイプ６にはポール５の下端部が挿入され、ポール５は垂直姿勢で支持されている。またポール５は丸パイプ６に挿入された状態で回動することができるようになっている。
ポール５の上端部には、上下に間隔をあけて配置された一対の支持金具７、７を介して収納ケース１１が支持されている。
収納ケース１１は円筒管１３と、この円筒管１３の一方側開口を覆う蓋１５とによって構成されている。この収納ケース１１は他方側にのみ開口１７を有しており、収納ケース１１は、その開口１７が真下を向く姿勢でポール５に支持されている。
収納ケース支持手段は設置ベース３、丸パイプ６、ポール５及び一対の支持金具７、７によって構成されている。
【００１４】
蓋１５には長方形の穴２３が形成されている。また収納ケース１１の蓋１５にはプラスチック製の一対の滑車２１、２１が設けられており、滑車２１、２１は周面どうしが互いに対向して水平方向に並んで配置されている。滑車２１、２１の一部は穴２３から露出している。
ポール５の上端部の収納ケース１１側には長方形の穴２５が形成されている。またポール５にはプラスチック製の一対の滑車２７、２７が設けられており、滑車２７、２７は周面どうしが互いに対向して垂直方向に並んで配置されている。滑車２７、２７の一部は穴２５から露出している。
ポール５の略中央部の滑車２７、２７に対向する側には長方形の穴３１が形成されている。またポール５にはプラスチック製の一対の滑車２９、２９が設けられており、滑車２９、２９は周面どうしが互いに対向して垂直方向に並んで配置されている。滑車２９、２９の一部は穴３１から露出している。
ガイド手段は滑車２１、２７、２９によって構成されている。
ポール５の外面には、保持手段としてのロープ巻き付け部３２が穴３１の下側に設けられており、このロープ巻き付け部３２は、上下に間隔をあけて配置された二つの凸部３３から成っている。これらの凸部３３の先端部はそれぞれ直角に曲げられている。
【００１５】
符号４１はカバー材としてのネットを示し、このネット４１は合成樹脂から成っており、柔軟性を有している。ネット４１は、左右の両端部が連結されて筒状に形成され、更に上端部がまとめられて略釣鐘状に形成されている。この略釣鐘状に形成されたネット４１の上端部には、略ラッパ状の吊り金具４３が取り付けられている。
吊り金具４３の下端部はロート状部となっており、このロート状部にはネット４１の上端部が収容されている。また吊り金具４３の上端部はリング状部となっており、このリング状部には紐状体としてのロープ４７の一端部が結び付けられている。
【００１６】
ロープ４７は、開口１７から収納ケース１１内に進入して、滑車２１、２１どうしの間、穴２３、２５、滑車２７、２７どうしの間を通り、更にポール５内を通って、滑車２９、２９どうしの間、穴３１を通りポール５外に引き出されている。このロープ４７の穴３１から引き出された部分には抜け止め用のゴムボール４９が取り付けられている。
また、前述したネット４１の下端部には錘としてのチェーン５１が備えられている。
【００１７】
次に、ゴミのカバー装置１の使用方法について説明する。
非使用時には、図１に示すようにネット４１は収納ケース１１に収納されている。またロープ４７の穴３１から引き出された部分はロープ巻き付け部３２に巻き付けられており、ネット４１が収納ケース１１に収納状態で保持されている。
収納ケース１１からネット４１を出す場合には、ロープ巻き付け部３２に巻き付けられているロープ４７を外し、そしてロープ４７を握っている手を緩める。するとネット４１の自重によってロープ４７が図３の矢印に示す方向に引っ張られて繰り出され、ネット４１が降下して収納ケース１１から出て、地面に落下する。
前述したようにネット４１にはチェーン５１が備えられているので、ネット４１とチェーン５１の重量がロープ４７に加わり、ロープ４７はスムーズに繰り出されることになる。
【００１８】
次に、図４に示すように地面に落下したネット４１を広げ、そして図５に示すようにゴミＧに被せて使用状態にする。これによりカラスやネコ等によってゴミＧが荒らされてしまうのを防止することができる。
また、ネット４１にはチェーン５１が備えられているので、ネット４１が捲れてしまうのを防止することができる。
【００１９】
ネット４１を収納ケース１１に収納する場合には、ロープ４７の穴３１から引き出された部分を握り、そしてロープ４７を手繰り寄せて繰り入れる。これによりネット４１が引っ張られて上昇して、図１、図２に示すように開口１７から収納ケース１１に入る。そして、ロープ４７の穴３１から引き出された部分をロープ巻き付け部３２に巻き付けて結び付ける。これによりネット４１が収納状態で保持される。
前述したようにネット４１の上端部はまとめられているので、ネット４１が開口１７から収納ケース１１に入る際には、ネット４１は開口１７の縁等に引っ掛かることなくスムーズに引っ張られる。
【００２０】
このようにロープ４７を繰り出し、繰り入れするだけで、収納ケース１１に対するネット４１の出し入れを簡単に行うことができる。しかもネット４１に直接触れることなくネット４１の出し入れを行うことができるので、汚れたネット４１を畳むなどの作業を行う必要がなくなる。
また、収納ケース１１にネット４１を収納しておけば邪魔にならず、従来のゴミステーションのように広い面積を常に占拠することもない。従って、ゴミ収集日に道路端をゴミ集積場として使用するところであっても、このゴミのカバー装置１を常設することが可能である。
【００２１】
ロープ４７が繰り出されたり繰り入れられたりする際には、ロープ４７が滑車２１、２７、２９によってガイドされる。従って、ロープ４７とネット４１をスムーズに移動させることができる。
なお、前述したようにポール５は丸パイプ６に挿入された状態で回動することができるようになっているので、ポール５を回動させれば収納ケース１１の位置を変更することができる。従って、ゴミＧの置かれている方向に収納ケース１１を向く状態とすれば、ネット４１をゴミＧに被せる作業がより行い易くなる。またゴミのカバー装置１を使用しないときには、収納ケース１１を邪魔にならない方向に向けておくことができる。
ゴミのカバー装置１は上記したように所定場所に常設することができるので、消火器Ｓを設置ベース３上に載置して丸パイプ６に取り付けておけば、このゴミのカバー装置１を消火器置場の目印にすることもできる。
【００２２】
以上、本考案の実施の形態について詳述してきたが、具体的構成は、この実施の形態に限られるものではなく、本考案の要旨を逸脱しない範囲における設計の変更などがあっても考案に含まれる。
上記実施の形態では、カバー材をネット４１によって構成したが、カバー材は柔軟性を有するものであればよく、例えばカバー材をビニールシートやゴムシート等によって構成してもよい。
上記実施の形態では、収納ケース１１を円筒管１３と蓋１５とによって構成したが、蓋１５を設けない構成にしてもよい。また、円筒管１３に替えて矩形や楕円形の筒状体等によって構成してもよい。
【００２３】
上記実施の形態では、収納ケース１１を、その開口１７が真下を向く姿勢に支持したが、収納ケース１１を、その開口１７が斜め下方を向く姿勢に支持してもよい。
上記実施の形態では、紐状体をロープ４７によって構成したが、紐状体をチェーン等によって構成してもよい。
上記実施の形態では、錘をチェーン５１によって構成したが、必ずしもチェーンに限られない。
【産業上の利用可能性】
【００２４】
本考案は、ゴミ集積場に出したゴミをカバーするゴミのカバー装置の製造業に利用可能である。
【符号の説明】
【００２５】
１…ゴミのカバー装置      ３…設置ベース      ４…台座
５…ポール      ６…丸パイプ
７…支持金具      １１…収納ケース      １３…円筒管
１５…蓋      １７…開口      ２１、２７、２９…滑車
２３、２５、３１…穴      ３２…ロープ巻き付け部      ３３…凸部
４１…ネット      ４３…吊り金具      ４７…ロープ
４９…ゴムボール      ５１…チェーン
Ｇ…ゴミ      Ｓ…消火器
【図１】
0003156300.tif 000003
【図２】
0003156300.tif 000004
【図３】
0003156300.tif 000005
【図４】
0003156300.tif 000006
【図５】
0003156300.tif 000007